(57)【特許請求の範囲】
【請求項１】
回転軸の周囲に複数本のブラシ毛が林立するよう設けられたロール状の帯電ブラシであって、前記回転軸に帯電用電圧が供給され、前記複数本のブラシ毛が回転する感光体の表面の軸方向にわたって接触して通過するよう当該回転軸を中心に回転することにより前記感光体を帯電させる帯電ブラシロールと、
前記帯電ブラシロールの軸方向にわたって食い込んだ状態で前記ブラシ毛に接触して、当該ブラシ毛を湾曲するよう弾性変形させるとともにその弾性変形に対する復元力で振動している状態にあるときに前記感光体の表面に接触させる振動付与部材と
を有し、
前記振動付与部材は、前記帯電ブラシロールのブラシ毛が接触して通過する部分の少なくとも一部に、表面が曲面で構成される隆起部が存在していることを特徴とする帯電装置。
【請求項２】
前記振動付与部材は、前記帯電ブラシロールのブラシ毛が接触して通過する部分を含む領域に前記隆起部が複数並べられた状態で配置されている請求項１に記載の定着装置。
【請求項３】
前記振動付与部材は、前記帯電ブラシロールへの食い込み量が、当該帯電ブラシロールの軸方向において相対的に異なる値になるよう配置されている請求項１又は２に記載の帯電装置。
【請求項４】
前記帯電ブラシロールは、前記ブラシ毛として、弾性変形に対する復元力に相当する先端力が異なる２種類以上のブラシ毛を混在させている請求項１乃至３のいずれか１項に記載の帯電装置。
【請求項５】
回転する感光体と、前記感光体を帯電させる帯電装置とを有し、
前記帯電装置が、請求項１乃至４のいずれか１項に記載の帯電装置で構成されていることを特徴とする画像形成装置。
【発明の詳細な説明】
【技術分野】
【０００１】
この発明は、帯電装置及び画像形成装置に関するものである。
【背景技術】
【０００２】
電子写真方式等の画像記録方式を適用したプリンタ、複写機、ファクシミリ等の画像形成装置においては、帯電用電圧が供給される回転軸の周囲に複数本のブラシ毛が林立するよう設けられた帯電ブラシロールを、回転する感光体の表面の軸方向にわたって接触させた状態で回転させることにより、その感光体を所要の電位に帯電させる帯電装置が装備されている。
【０００３】
このような帯電ブラシロールを用いる帯電装置として、例えば、以下のものが知られている。
【０００４】
帯電ブラシロールの幅に対応する幅寸法を有し、その帯電ブラシロールの回転方向に先端部が対向して該ブラシロールの所定位置に接触することにより、そのブラシロールの導電性ブラシに付着した現像剤を除去する現像剤除去板を配置し、しかもその現像剤除去板の先端部より下方の位置に配置され、そのブラシから落下した現像剤を収容する現像剤受け部を設けた帯電装置が知られている（特許文献１）。
【０００５】
特許文献１には、前記現像剤除去板として、少なくともブラシに接触する先端部に丸み形状を有し、かつ少なくとも該ブラシに接触する面が平滑であるもの適用すると、導電ブラシの繊維を傷つけて破損させることが防止され、その導電ブラシの寿命を延ばすことができることが示されている。また、特許文献１には、前記現像剤除去板として、先端部の長手方向に複数の山形或いは櫛形を形成したものを適用すると、導電ブラシに付着した現像剤の除去効率を一層高めることができることが示されている。
【０００６】
また、帯電ブラシロールのブラシに接触させ、超音波振動子等の振動付与手段から振動が付与されてそのブラシを叩くシート等のブラシ叩き部材を配置した帯電装置が知られている（特許文献２）。
【０００７】
特許文献２には、この帯電装置によれば、帯電ブラシロールのブラシ内に経時でトナーが蓄積することを抑制できることが示されている。また、特許文献２には、前記ブラシ叩き部材として、その帯電ブラシロールと接触する部分がクシ形状であるものでもよいことが示されている。
【先行技術文献】
【特許文献】
【０００８】
【特許文献１】特開平０８−９５３４５号公報
【特許文献２】特開２００９−３７０５３号公報
【発明の概要】
【発明が解決しようとする課題】
【０００９】
この発明は、帯電ブラシロールのブラシ毛を簡易な構成で感光体の表面に隙間の少ない状態で接触させて感光体を帯電ムラの少ない状態で帯電させることができる帯電装置を提供するものである。
また、この発明は、帯電ブラシロールを用いた帯電装置により帯電させられる感光体の帯電ムラに起因したカブリ、粒状性悪化等の画質不良の発生を抑制することができる画像形成装置を提供するものである。
【課題を解決するための手段】
【００１０】
この発明（Ａ１）の帯電装置は、
回転軸の周囲に複数本のブラシ毛が林立するよう設けられたロール状の帯電ブラシであって、前記回転軸に帯電用電圧が供給され、前記複数本のブラシ毛が回転する感光体の表面の軸方向にわたって接触して通過するよう当該回転軸を中心に回転することにより前記感光体を帯電させる帯電ブラシロールと、
前記帯電ブラシロールの軸方向にわたって食い込んだ状態で前記ブラシ毛に接触して、当該ブラシ毛を湾曲するよう弾性変形させるとともにその弾性変形に対する復元力で振動している状態にあるときに前記感光体の表面に接触させる振動付与部材と
を有し、
前記振動付与部材は、前記帯電ブラシロールのブラシ毛が接触して通過する部分の少なくとも一部に、表面が曲面で構成される隆起部が存在していることを特徴とするものである。
【００１１】
この発明（Ａ２）の帯電装置は、上記発明Ａ１の帯電装置において、前記振動付与部材は、前記帯電ブラシロールのブラシ毛が接触して通過する部分を含む領域に前記隆起部が複数並べられた状態で配置されているものである。
【００１２】
この発明（Ａ３）の帯電装置は、上記発明Ａ１又はＡ２の帯電装置において、前記振動付与部材は、前記帯電ブラシロールへの食い込み量が、当該帯電ブラシロールの軸方向において相対的に異なる値になるよう配置されているものである。
【００１３】
この発明（Ａ４）の帯電装置は、上記発明Ａ１からＡ３のいずれかの帯電装置において、前記帯電ブラシロールは、前記ブラシ毛として、弾性変形に対する復元力に相当する先端力が異なる２種類以上のブラシ毛を混在させているものである。
【００１４】
この発明（Ｂ１）の画像形成装置は、
回転する感光体と、前記感光体を帯電させる帯電装置とを有し、
前記帯電装置が、上記発明Ａ１からＡ４のいずれかの請求項１乃至４のいずれか１項に記載の帯電装置で構成されていることを特徴とするものである。
【発明の効果】
【００１５】
上記発明Ａ１の帯電装置によれば、帯電ブラシロールのブラシ毛を簡易な構成で感光体の表面に隙間の少ない状態で接触させて、感光体を帯電ムラの少ない状態で帯電させることができる。特に、帯電ブラシロールのブラシ毛が、帯電ブラシロールの軸方向も含めてよりランダムな方向に振動した状態のままで感光体の表面に接触して最終的に感光体の表面に隙間がより少ない状態になるよう接触するようになり、感光体を帯電ムラがより少ない状態で良好に帯電させることができる。
【００１６】
上記発明Ａ２の帯電装置では、帯電ブラシロールのブラシ毛が、複数の隆起部の曲面からなる表面を通過して帯電ブラシロールの軸方向も含めてよりランダムな方向に振動した状態のままで感光体の表面に接触して最終的に感光体の表面に隙間がより少ない状態になるよう接触するようになり、感光体を帯電ムラがより一層少ない状態で良好に帯電させることができる。
【００１７】
上記発明Ａ３の帯電装置では、帯電ブラシロールのブラシ毛が、よりランダムな方向に振動した状態のままで感光体の表面に接触して最終的に感光体の表面に隙間がより少ない状態になるよう接触するようになり、感光体を帯電ムラがより少ない状態で良好に帯電させることができる。
【００１８】
上記発明Ａ４の帯電装置では、帯電ブラシロールのブラシ毛が、先端力の違いに応じて異なる振動の仕方をした状態のままで感光体の表面に接触して最終的に感光体の表面に隙間がより一層少ない状態で接触させて、感光体を帯電ムラがより一層少ない状態で良好に帯電させることができる。
【００１９】
上記発明Ｂ１の画像形成装置によれば、帯電ブラシロールを用いた帯電装置により帯電させられる感光体の帯電ムラに起因したカブリ、粒状性悪化等の画質不良の発生を抑制することができる。
【図面の簡単な説明】
【００２０】
【図１】実施の形態１に係る帯電装置を用いた画像形成装置の要部を示す説明図である。
【図２】図１の画像形成装置に用いる帯電装置を示す概略説明図である。
【図３】図２の帯電装置の構成や配置などを側面側から見たときの状態で示す説明図である。
【図４】図２の帯電装置等における帯電ブラシロール及び振動付与部材の配置状態を示す説明図である。
【図５】図２の帯電装置における帯電ブラシロールの構成を示す説明図である。
【図６】図２の帯電装置における振動付与部材を示す説明であり、（ａ）はその正面側から見たときの状態を示し、（ｂ）はその上面から見たときの状態を示し、（ｃ）はその側面から見たときの状態を示している。
【図７】図２の帯電装置の動作時におけるブラシ毛の状態を示す説明図である。
【図８】実施例１等の評価試験の結果を示すグラフ図である。
【図９】実施の形態２に係る帯電装置における帯電ブラシロール及び振動付与部材の配置状態を示す説明図である。
【図１０】図９の帯電装置における振動付与部材等を示す説明であり、（ａ）はその正面側から見たときの状態を示し、（ｂ）はその上面から見たときの状態を示し、（ｃ）はその側面から見たときの状態を示している。
【図１１】図９の帯電装置の動作時におけるブラシ毛の状態を示す説明図である。
【図１２】図９の帯電装置の動作時における振動付与部材に対するブラシ毛の状態を模式的に示す説明図である。
【図１３】実施の形態３に係る帯電装置における帯電ブラシロールの構成を示す説明図である。
【図１４】図１４の帯電ブラシロールにおけるブラシ毛の先端力を測定する方法を示す説明図であり、（ａ）は測定用のブラシロールに対する測定の様子を正面側から見たときの状態を示し、（ｂ）は（ａ）の様子を側面（又は上面）から見たときの状態を示している。
【図１５】振動付与部材の配置状態の他の構成例を示す説明図であり、（ａ）は側面側から見たときの状態を示し、（ｂ）はその正面側から見たときの状態を示している。
【図１６】振動付与部材の配置状態の別の構成例を示す説明図であり、（ａ）は下面側から見たときの状態を示し、（ｂ）はその正面側から見たときの状態を示している。
【発明を実施するための形態】
【００２１】
以下、この発明を実施するための形態（以下「実施の形態」という）について図面を参照しながら説明する。
【００２２】
［実施の形態１］
図１から図３は、実施の形態１に係る帯電装置を適用した画像形成装置を示すものである。図１はその画像形成装置の概要を示し、図２及び図３はその帯電装置の概要を示している。
【００２３】
画像形成装置１は、図１に示すように、構造部材、外装材等で構成される筐体１０の内部に、現像剤としてのトナーからなる像を形成して最終的に被記録材の一例としての記録用紙９に転写する作像装置２０、記録用紙９を作像装置２０に搬送して供給する給紙装置３０、記録用紙９に転写されるトナー像を定着する定着装置３５等を備えている。
【００２４】
作像装置２０は、矢印Ａで示す方向（図中において時計回りの方向）に回転駆動する感光ドラム２１と、感光ドラム２１の表面（像形成領域となる周面）を所要の電位に帯電させるブラシ方式の帯電装置４と、帯電後の感光ドラム２１の表面に画像情報（信号）に基づく光（Ｂｍ）を照射して電位差のある静電潜像を形成する露光装置２３と、その静電潜像を現像剤としてのトナーにより現像してトナー像にする現像装置２４と、そのトナー像を記録用紙９に転写する転写装置２５と、転写後の感光ドラム２１の表面に残留するトナー等を除去する清掃装置２６とで主に構成されている。
【００２５】
このうち感光ドラム２１は、例えば接地された円筒状の導電性基体の外周面に有機感光材料等からなる光誘電層を形成したものである。露光装置２３は、画像形成装置１に接続又は装備される原稿読取装置、外部接続機器、記憶媒体読取装置等の画像情報提供源から入力される画像情報を図示しない画像処理装置で所要の処理をして得られる画像信号に基づいた露光を行う。
【００２６】
また、現像装置２４は、例えばトナーとキャリアを含む現像剤を用い、その現像剤を収容部で回転する攪拌搬送部材により攪拌しながら現像ロール２４ａにむけて循環させるように搬送し、最後に現像ロール２４ａを介して感光ドラム２１と対向する現像領域に供給するものである。転写装置２５は、感光ドラム２１に接触して回転する転写ロールを適用したものである。清掃装置２６は、感光ドラム２１の周面に接触する板状の清掃部材等を接触させる方式のものである。この他、現像装置２４（の現像ロール２４ａ）と転写装置２５（の転写ロール）には、作像時（画像形成動作実行時）になると、図示しない電源装置から現像用電圧又は転写用電圧がそれぞれ供給される。
【００２７】
給紙装置３０は、画像の形成に使用する所要のサイズ、種類等からなる複数枚の記録用紙９を積み重ねた状態で収容する、トレイ形式、カセット形式等の用紙収容体３１と、その用紙収容体３１に収容される用紙９を１枚ずつ送り出す送出装置３２とを備えたものである。この給紙装置３０は、給紙の時期が到来すると、用紙９を１枚ずつ送り出すようになっている。用紙収容体３１は、利用態様に応じて複数装備される。図１における矢付き一点鎖線は、用紙Ｐの主な搬送路を示す。その搬送路は、複数の用紙搬送ロール対３３ａ，３３ｂ，３３ｃや、図示しない搬送ガイド部材等で構成されている。
【００２８】
定着装置３５は、筐体３６の内部に、矢印で示す方向に回転駆動するとともに表面温度が加熱手段により所要の温度に加熱されて保持されるロール形態、ベルト形態等の加熱回転体３７と、この加熱回転体３７の軸方向にほぼ沿うように所要の圧力で接触して従動回転するロール形態、ベルト形態等の加圧回転体３８等を備えたものである。この定着装置３５は、その加熱回転体３７と加圧回転体３８との間に形成される定着部にトナー像転写後の用紙９を通過させて定着を行うようになっている。
【００２９】
この画像形成装置１による画像形成は、次のようにして行われる。ここでは、記録用紙９の片面に画像を形成するときの基本的な画像形成動作を例に挙げて説明する。
【００３０】
画像形成装置１では画像形成動作の開始指令を受けると、作像装置２０において、回転始動する感光ドラム２１の表面が帯電装置４により所定の極性及び電位に帯電された後、その帯電した感光ドラム２１の表面に露光装置２３により画像情報に基づく露光が行われて所要の電位差で構成される静電潜像が形成される。続いて、感光ドラム２１に形成された静電潜像が、現像装置２４を通過する際に、その現像ロール２４ａから供給される所要の極性に帯電された状態のトナーにより現像されてトナー像として顕像化される。
【００３１】
しかる後、感光ドラム２１上に形成されたトナー像は、感光ドラム２１の回転により転写装置２５と対向する転写位置まで搬送されると、このタイミングに合わせて給紙装置３０から搬送路を通して供給される記録用紙９の片面に対し転写装置２５により転写される。この転写後の感光ドラム２１の周面は、清掃装置２６で清掃される。
【００３２】
続いて、トナー像が転写された記録用紙９は、感光ドラム２１から剥離されて定着装置３５に導入されるよう搬送され、その定着装置３５における加熱回転体３７と加圧回転体３８との間の定着部を通過する際に加熱及び加圧されて未定着のトナー像が定着される。この定着が終了した後の用紙９は、定着装置３５から排出されて筐体１０の一部に形成される図示しない排紙収容部等に搬送されて収容される。
【００３３】
以上により、１枚の記録用紙９の片面に対して１色のトナーで構成される単色画像が形成され、基本的な画像形成動作が終了する。複数枚の画像形成動作を実行する指示要求がされた場合には、上記した一連の動作がその枚数分だけ同様に繰り返されることになる。
【００３４】
次に、帯電装置４について詳述する。
【００３５】
帯電装置４は、図２や図３に示すように、感光ドラム２１の表面に接触した状態で回転する帯電ブラシロール４１と、帯電ブラシロール４１の後述するブラシ毛４３に振動を付与する振動付与部材４５と、帯電ブラシロール４１に帯電用の電圧を供給する電源装置４８とを備えている。
【００３６】
帯電ブラシロール４１は、回転軸４２の周囲に複数本の導電性ブラシ毛４３が林立するよう設けられたロール状の帯電ブラシである。回転軸４２は、アルミニウム、ステンレス等の金属材料から形成されており、その両端部が図示しない軸受に回転自在に支持されている。ブラシ毛４３は、カーボンブラック等の導電性材料をナイロン等の合成樹脂繊維に分散させて導電性を付与した導電性合成繊維で構成されている。また、ブラシ毛４３は、所定の長さ、太さ、ブラシ密度（単位面積あたりの本数）等の条件に設定された複数本の導電性合成繊維を、例えば導電性の基布４４に植毛して林立させた状態で使用される（図５）。このように導電性の基布４４に植毛された導電性ブラシ毛４３は、例えば、回転軸４１の周面に帯状とした導電性基布４４上のブラシ毛４３を螺旋状に巻きつけて固着することにより取り付けられる。
【００３７】
この帯電ブラシロール４１は、図２や図３に示すように、その複数本のブラシ毛４３が回転する感光ドラム２１の表面の軸方向Ｃにわたって接触して通過するよう回転軸４２を中心にして回転するように設置される。また、帯電ブラシロール４１は、図４等に示すように、ブラシ毛４３の先端４３ａが感光ドラム２１の表面の内部にあたかも所定の寸法α（食い込み量）だけ食い込んだ状態となるよう設置される。実施の形態１における帯電ブラシロール４１は、感光ドラム２１の回転に従動して回転するようになっている。また、帯電ブラシロール４１の感光ドラム２１への食い込み量αは、ブラシ毛４３の自由長、太さ等の条件内容に応じて適切な設定されるが、例えば０．５〜２．０ｍｍに設定される。
【００３８】
電源装置４８は、回転軸４２の端部に接触する図示しない給電素子に電気的に接続されており、その給電素子を介して帯電用の電圧を回転軸４２に供給するようになっている。帯電用電圧としては、直流の電圧が供給されるが、これに限定されず、その他にも例えば、直流に交流を重畳させた電圧等の電圧を供給しても構わない。
【００３９】
振動付与部材４５は、図３、図４、図６等に示すように、帯電ブラシロール４１の軸方向Ｄにわたって所定の寸法β（食い込み量）だけ食い込んだ状態になるよう設置され、しかも、図７に示すように、そのブラシ毛４３を湾曲させるよう弾性変形させるとともにその弾性変形に対する復元力で振動している状態にあるときに感光ドラム２１の表面に接触させるものである。
【００４０】
ここで、ブラシ毛４３が弾性変形に対する復元力で振動している状態にあるときとは、ブラシ毛４３が感光ドラム２１の表面に接触した瞬間まで復元のために振動している途上にあることを指し、換言すれば、その弾性変形した後の復元の動作が既に完了して弾性変形を受ける前のほぼ静止した状態にあるときを少なくとも排除する振動中のものである。また、振動付与部材４５は、アルミニウム、ステンレス等の金属材料や、導電性の樹脂材料等の材料を用いて形成される部材である。さらに、振動付与部材４５は、電気的にはフロート状態で設置される。
【００４１】
実施の形態１における振動付与部材４５としては、矩形板状の部材を使用している。振動付与部材４５の矩形板は、図６等に示すように、帯電ブラシロール４１のブラシ毛４３の軸方向Ｄよりも長い長さ（幅）Ｗと、所要の厚さＥ及び高さＨを有する平板形状のものであり、平面状の上面４５ａと上面４５ａからほぼ垂直に下がる平面状の前後の側面４５ｂ，４５ｃを備えている。また、この矩形板４５は、上面４５ａが帯電ブラシロール４１の回転軸４２に近づく状態でブラシロール４１に食い込んだ状態に配置される。
【００４２】
また、振動付与部材４５は、例えば図４に示すように、帯電ブラシロール４１のブラシ毛４３が感光ドラム２１の表面に接触し始める側の位置Ｐからそのブラシロール４１の回転方向Ｂの上流側になる位置のうち、ブラシロール４１の回転軸４２の中心（Ｏ）よりも感光ドラム２１の表面に近い側となる範囲内の位置で、ブラシ毛４３が接触し始めるように設置される。この振動付与部材４５の設置条件は、前述した通り、その付与部材４５で弾性変形させられた帯電ブラシロール４１のブラシ毛４３が、その弾性変形に対する復元力で振動している状態にあるときに感光ドラム２１の表面に接触するという条件を満たせば、特に限定されるものではない。
【００４３】
実施の形態１における振動付与部材４５は、ブラシ毛４３が前側の側面４５ｂに接触した後に上面４５ａをなぞるように接触して通過するような姿勢に設置している。具体的には、振動付与部材４５は、その上面４５ａが帯電ブラシロール４１の回転軸４２の中心点Ｏと感光ドラム２１の回転中心とを結ぶ直線Ｋと平行な関係になる姿勢であり、また、帯電ブラシロール４１に対する食い込み量β（ブラシ毛４３が最初に接触する側面４５ｂの位置Ｑから最大に食い込んだ位置となる部位：上面４５ａまでの距離）が例えば０．５〜２．０ｍｍとなり、さらに、感光ドラム２１の表面との離間距離Ｊ（ブラシ毛４３が感光ドラム２１の表面に接触し始める位置Ｐから後側の側面４５ｃとの離間距離）が例えば０．５〜２．０ｍｍとなるよう設置されている。また、振動付与部材４５は、ブラシ毛４３が最初に接触する位置Ｑ（前側の側面４５ｂの位置）の感光ドラム２１表面との離間距離Ｍ（上記離間距離Ｊに振動付与部材４５の厚さＥを付加したものに相当する）が例えば３．５〜５．５ｍｍとなるよう設置されている。この振動付与部材４５においてブラシ毛４３が接触する部分は、前側面４５ｂの上記接触位置Ｑから上端までの平面部分と、これに続く上面４５ａの平面部分になる。
【００４４】
次に、この帯電装置４による帯電工程の動作について説明する。
【００４５】
まず、帯電ブラシロール４１は、図７等に示すように、感光ドラム２１の矢印Ａで示す方向に回転駆動する力をブラシ毛４３が受けることで回転軸４２を中心にして矢印Ｂで示す方向に従動回転する。また、帯電ブラシロール４１の回転軸４２に、電源装置４８から帯電用電圧が供給される。
【００４６】
続いて、矢印Ｂで示す方向に従動回転する帯電ブラシロール４１は、そのブラシ毛４３が振動付与部材４５に接触した後に感光ドラム２１の表面に接触する。
【００４７】
この際、自然な状態（外力が加わっていない状態）で静止している姿勢のブラシ毛４３（４３−１）は、図７に示すように、まず振動付与部材４５の前側面４５ｂの位置Ｑにおいて接触し始める。次いで、ブラシ毛４３は、帯電ブラシロール４１の矢印Ｂ方向への回転により、そのブラシ先端部が振動付与部材４５の上部を乗り越えるような状態で湾曲するように弾性変形した状態（符合４３−２で示すブラシ毛の状態）になり、しかる後、振動付与部材４５の上面４５ａをなぞるように接触して進む状態（符合４３−３で示すブラシ毛の状態）になる。
【００４８】
次いで、振動付与部材４５の上面４５ａとの接触を通過した後のブラシ毛４３は、図７に示すように、前記弾性変形させられたことによって発生する復元力で元の静止した状態に戻ろうとして振動した状態になる（符合４３−４，４３−５で示すブラシ毛の状態）。このときの復元力によるブラシ毛４３の振動する方向は、多くのブラシ毛４３（の先端部）が振動付与部材４５との接触により回転方向Ｂとは反対の方向に沿って残されるような状態で弾性変形するので、その回転方向Ｂとほぼ平行した方向になるものと予想される。
【００４９】
そして、振動付与部材４５を通過して感光ドラム２１の表面に接触するときのブラシ毛４３−５は、その復元力による振動が残った状態で感光ドラム２１の表面に接触することになる。これにより、そのブラシ毛４３−５は、図７に示すように、感光ドラム２１の表面に接触した直後に、その復元力の余力で先端部などが感光ドラム２１の表面において少し揺れ動いた状態になり、最終的に、その表面と接触する範囲を、振動していない状態で接触するブラシ毛４３の場合に比べて、少し広げた状態になると推測される。なお、このとき感光ドラム２１の表面において復元力の余力で揺れ動くブラシ毛４３は、帯電ブラシロール４１の回転方向Ｂの前後方向に沿って揺れ動くのみならず、その回転方向Ｂと交差する方向にも不規則に揺れ動くことが推測される。
【００５０】
この結果、帯電ブラシロール４１のブラシ毛４３は、感光ドラム２１の表面との接触通過領域に対して隙間の少ない状態で接触するようになり、これにより、帯電ブラシロール４１は感光ドラム２１を帯電ムラの少ない状態で帯電させることができる。特に帯電ブラシロール４１による帯電は、ブラシ毛４３の１本の太さよりも少し広い範囲が放電領域となって行われるため、ブラシ毛４３が感光ドラム２１の表面に完全に隙間なく接触せずとも、ブラシ毛４３の１本が感光ドラム２１の表面で触れ動くことで放電領域が隙間の少ない状態に広がることで、ムラの少ない帯電が可能になる。
【００５１】
帯電ブラシロール４１のブラシ毛４３は、感光ドラム２１の表面との接触を終えて通過した後は、図７に示すように、感光ドラム２１への食い込みによる弾性変形した状態からも開放される。このため、このときのブラシ毛４３は、振動付与部材４５に接触する前のブラシ毛４３−１の場合とほぼ同様に、自然の静止した状態（姿勢）になり、次の振動付与部材４５との接触のために回転移動する（符合４３−６で例示するブラシ毛）。
【００５２】
＜評価試験＞
以下、この帯電装置４の帯電性能を評価するために行った評価試験について説明する。
【００５３】
帯電装置４としては、次の構成からなるものを使用した。帯電ブラシロール４１としては、６ｍｍφの導電性回転軸４２に、２デニールのナイロン製ブラシ毛４３（ユニチカ製：ＵＵナイロン。カーボンブラックを分散させて導電化性を付与したナイロン繊維。ナイロン原糸の電気抵抗値８．５ｌｏｇΩ）を密度２４０，０００本／インチ2、で導電性基布に林立させたものを巻きつけて、外径が１６ｍｍφになるロールを使用した。これにより、この帯電ブラシロール４１のブラシ毛４３の自由長は約５ｍｍとなる。振動付与部材４５としては、厚さＥが３ｍｍ、高さＨが８ｍｍの寸法であるアルミニウム製の平板を使用し、それを電気的にフロート状態になるよう設置した。
【００５４】
この帯電装置４を図１で例示したような画像形成装置１に装着した。感光ドラム２１としては、２４μｍの膜厚からなる表面層を形成した外径が３０ｍｍφの有機感光ドラムを使用した。この感光ドラム２１に対し、帯電ブラシロール４１の食い込み量αが１．５ｍｍとなる状態で帯電装置４を配置した。また、帯電装置４においては、振動付与部材４５について、図４等に示すような状態に設置した。つまり、振動付与部材４５は、帯電ブラシロール４１の軸方向Ｄにわたって食い込み量βが２ｍｍとなり、感光ドラム２１の表面（接触し始める位置Ｐ）からの離間距離Ｊが２ｍｍとなる状態で設置した。帯電ブラシロール４１には電源装置４８から１．１ｋＶの直流電圧を供給した。
【００５５】
そして、評価試験は、まず、この帯電装置４（実施例１）を装着した画像形成装置１を用いてテスト画像を形成した。すなわち、画像形成装置１において感光ドラム２１を２２５ｍｍ／ｓｅｃの速度で回転させるとともに、帯電装置４により−５００Ｖの目標電位（ＶＨ）に帯電した後、その帯電させた感光ドラム２１に露光装置２３からテスト画像の露光を行って静電潜像を形成した。このときの露光は、Ｃin１００％の画像形成において潜像電位（ＶＬ）が−８０Ｖとなるような露光量に設定し、Ｃin３０％のテスト画像を形成するための静電潜像を形成するように行った。続いて、この静電潜像を現像バイアスとして−４００Ｖを供給した現像装置２４により現像してトナー像を形成した。最後に、このトナー像を記録用紙９に転写した後に定着してテスト画像を出力した。
【００５６】
次に、この得られたテスト画像について、かぶりと粒状性に関する各標準限度見本（富士ゼロックス株式会社製の限度見本）と対比観察することで、そのテスト画像におけるかぶり及び粒状性の状態に関する評価を行った。なお、標準限度見本は、かぶりを評価する標準限度見本と粒状性を評価する標準限度見本とが個別にあり、そのいずれの標準限度見本も以下のような５段階の基準に設定された各グレードＧ１〜Ｇ５のものがそれぞれ作製された標本として用意されている。そして、粒状性の評価については、Ｃin３０％のテスト画像の画像部を、粒状性に関する５段階の標準限度見本とそれぞれ対比観察し、いずれのグレードになるかを決定することで行った。また、かぶりの評価については、そのテスト画像の背景部（白紙部分）を、かぶりに関する５段階の標準限度見本とそれぞれ対比観察し、いずれのグレードになるかを決定することで行った。
・グレードＧ１…非常に良い。
・グレードＧ２…良い。
・グレードＧ３…普通。
・グレードＧ４…やや悪い。
・グレードＧ５…悪い。
【００５７】
この実施例１の結果を図８に示す。また比較参照のため、比較例１の帯電装置として、実施例１の帯電装置４のうち振動付与部材４５を設けない点のみが相違するものを作製し、それを画像形成装置１に同様に装着して同様の評価試験を行った。このときの比較例１の結果を図８に併せて示す。
【００５８】
図８の結果から明らかなように、実施例１の場合は、振動付与部材４５を設けない比較例１の場合に比べて、かぶりがグレードＧ５からＧ３．５になって１．５のグレードレベルの改善がされ、粒状性もグレードＧ５からＧ４になって１のグレードレベルの改善がされることが確認できた。
【００５９】
また比較参考までに、実施例１の帯電装置４における振動付与部材４５を図４の二点鎖線と符合４５０で示す位置に配置した帯電装置（比較例２）を作製し、それを画像形成装置１に同様に装着して同様の評価試験を行った。比較例２の帯電装置における振動付与部材４５は、実施例１において設置した振動付与部材４５を直線Ｋと平行に感光ドラム２１から離れる方向に移動し、感光ドラム２１の表面（ブラシ毛４３が接触し始める位置Ｐ）からの離間距離Ｊが５．５ｍｍとなる位置に設置した。
【００６０】
この比較例２の場合におけるかぶり及び粒状性に関するグレード評価の結果は、比較例１の場合と同様であった。このことから、振動付与部材４５の配置条件によっては、かぶり及び粒状性が改善されなくなることがわかる。
【００６１】
［実施の形態２］
図９は、実施の形態２に係る帯電装置４（Ｂ）の要部を示すものである。この帯電装置４（Ｂ）は、振動付与部材４５として構成が一部異なるもの４５（Ｂ）を適用した以外は実施の形態１に係る帯電装置４と同じ構成からなるものである。
【００６２】
この帯電装置４（Ｂ）における振動付与部材４５（Ｂ）は、図９や図１０等に示すように、振動付与部材４５（Ｂ）のうち帯電ブラシロール４１のブラシ毛４３が接触する部分の一部に、半球面形状の隆起部４６を複数存在させた形状の部材である。
【００６３】
より具体的には、振動付与部材４５（Ｂ）は、実施の形態１における平板からなる振動付与部材４５（図６）のうちブラシ毛４３が接触して通過していく上面４５ａに、半球面形状の隆起部４６を一列に並べた状態で形成したものである。隆起部４６は、球面の一部であり、図１０に示すように、その底部面（円形）の直径Ｒが平板からなる振動付与部材４５の厚さＥと同じ寸法であり、その隆起最大高さＳが所要の寸法に設定されたものである。また、実施の形態２では、複数の隆起部４６を、平板からなる振動付与部材４５の上面４５ａのうちブラシ毛４３が接触して通過する範囲を少なくとも含む領域に隙間なく一列に並べた状態で配置している。
【００６４】
この隆起部４６を有する振動付与部材４５（Ｂ）は、基本的には実施の形態１における振動付与部材４５の場合と同様に、図９等に示すように、帯電ブラシロール４１の軸方向Ｄにわたって所定の寸法β（食い込み量）だけ食い込んだ状態になるよう設置され、しかも、図１１に示すように、そのブラシ毛４３を湾曲させるよう弾性変形させるとともにその弾性変形に対する復元力で振動している状態にあるときに感光ドラム２１の表面に接触させるものである。
【００６５】
実施の形態２では、振動付与部材４５（Ｂ）を、帯電ブラシロール４１のブラシ毛４３が感光ドラム２１の表面に接触し始める側の位置Ｐからそのブラシロール４１の回転方向Ｂの上流側になる位置のうち、ブラシロール４１の回転軸４２の中心（Ｏ）よりも感光ドラム２１の表面に近い側となる範囲内の位置で、ブラシ毛４３が接触し始めるように設置している。
【００６６】
より具体的には、振動付与部材４５（Ｂ）は、隆起部４６を存在させるように形成した上面４５ａが帯電ブラシロール４１の回転軸４２の中心点Ｏと感光ドラム２１の回転中心とを結ぶ直線Ｋと平行な関係になる姿勢となり、また、帯電ブラシロール４１に対する食い込み量β（ブラシ毛４３が最初に接触する側面４５ｂの位置Ｑから最大に食い込んだ位置となる部位：隆起面４６の最上部までの距離）が例えば０．５〜２．０ｍｍとなり、さらに、感光ドラム２１の表面との離間距離Ｊが例えば０．５〜２．０ｍｍとなるよう設置されている。また、この振動付与部材４５（Ｂ）は、ブラシ毛４３が最初に接触する位置Ｑ（前側の側面４５ｂの位置）の感光ドラム２１表面との離間距離Ｍが例えば３．５〜５．５ｍｍとなるよう設置されている。この振動付与部材４５（Ｂ）においてブラシ毛４３が接触する部分は、前側面４５ｂの上記接触位置Ｑから上端までの平面部分と、これに続く上面４５ａにおける隆起部４６の曲面部分になる（厳密には隆起部４６のない上面４５ａの平面部分が少し含まれる）。
【００６７】
次に、この帯電装置４（Ｂ）による帯電工程の動作について説明する。
【００６８】
まず、帯電ブラシロール４１は、図９等に示すように、感光ドラム２１の矢印Ａで示す方向に回転駆動する力をブラシ毛４３が受けることで回転軸４２を中心にして矢印Ｂで示す方向に従動回転する。また、帯電ブラシロール４１の回転軸４２に、電源装置４８から帯電用電圧が供給される。
【００６９】
続いて、矢印Ｂで示す方向に従動回転する帯電ブラシロール４１は、そのブラシ毛４３が振動付与部材４５（Ｂ）に接触した後に感光ドラム２１の表面に接触する。
【００７０】
この際、自然な状態（外力が加わっていない状態）で静止している姿勢のブラシ毛４３（４３−１）は、図１１に示すように、まず振動付与部材４５（Ｂ）の前側面４５ｂの位置Ｑにおいて接触し始める。次いで、ブラシ毛４３は、帯電ブラシロール４１の矢印Ｂ方向への回転により、そのブラシ先端部が振動付与部材４５（Ｂ）の上部を乗り越えるような状態で湾曲するように弾性変形した状態（符合４３−２で示すブラシ毛の状態）になり、しかる後、振動付与部材４５の上面４５ａにおける複数の隆起部４６の曲面からなる表面をそれぞれなぞるように接触して進む状態（符合４３−７，４３−８で示すブラシ毛の状態）になる。
【００７１】
このときブラシ毛４３は、図１１や図１２に示すように、そのブラシ先端部が複数の隆起部４６の曲面からなる表面を通過することになるので、ブラシロール４１の回転方向Ｂの上流側に湾曲するような状態に弾性変形することに加えて、図１０ｃに二点鎖線のブラシ毛４３で例示したり又は図１２の軌跡線Ｌ１，Ｌ２として例示するように、その回転方向Ｂと交差してブラシロール４１の軸方向Ｄに１個の隆起部４６毎に左右に２分された軌跡をたどるよう分割されて湾曲するような状態に弾性変形する。
【００７２】
続いて、振動付与部材４５（Ｂ）の上面４５ａにおける複数の隆起部４６に接触して通過した後のブラシ毛４３は、図１１や図１２に示すように、前記弾性変形させられたことによって発生する復元力で元の静止した状態に戻ろうとして振動した状態になる（符合４３−９，４３−１０で示すブラシ毛の状態）。
【００７３】
このときの復元力によるブラシ毛４３の振動する方向は、ブラシ毛４３（の先端部）が振動付与部材４５（Ｂ）との接触により回転方向Ｂとは反対の方向に沿って残されるような状態で弾性変形するので、その回転方向Ｂとほぼ平行した方向になるとともに、上述したように振動付与部材４５（Ｂ）の半球面形状の隆起部４６との接触により軸方向Ｄ（感光ドラム２１の軸方向Ｃにも相当する）にほぼ沿って左右に振り分けられるような状態で弾性変形するので、その軸方向Ｄに沿うような方向にもなるものと予想される。
【００７４】
そして、振動付与部材４５（Ｂ）を通過して感光ドラム２１の表面に接触するときのブラシ毛４３−１０は、その復元力によるランダムな方向への振動が残った状態で感光ドラム２１の表面に接触することになる。これにより、そのブラシ毛４３−１０は、図１１や図１２に示すように、感光ドラム２１の表面に接触した直後に、その復元力の余力で先端部などが感光ドラム２１の表面において各種の方向に少し揺れ動いた状態になり、最終的に、その表面と接触する範囲を、振動していない状態で接触するブラシ毛４３の場合に比べて、実施の形態１の場合よりも少し広げた状態になると推測される。
【００７５】
なお、このとき感光ドラム２１の表面において復元力の余力で揺れ動くブラシ毛４３は、帯電ブラシロール４１の回転方向Ｂの前後方向に沿って揺れ動くのみならず、その回転方向Ｂと交差する方向（軸方向Ｄを含む）にも実施の形態１の場合に比べてより多く不規則に揺れ動くことが推測される。
【００７６】
この結果、帯電ブラシロール４１のブラシ毛４３は、感光ドラム２１の表面との接触通過領域４３Ｎ（図１２）に対して、実施の形態１の場合に比べてより一層隙間の少ない状態で接触するようになる。これにより、この帯電装置４（Ｂ）における帯電ブラシロール４１は、感光ドラム２１を、帯電ムラが実施の形態１の場合に比べてより一層少ない状態で帯電させることができる。ちなみに、この帯電装置４（Ｂ）における帯電ブラシロール４１のブラシ毛４３も、感光ドラム２１の表面との接触を終えて通過した後は、図１０に示すように、感光ドラム２１への食い込みによる弾性変形した状態からも開放され、自然の静止した状態（姿勢）になる（符合４３−６で例示するブラシ毛）。
【００７７】
＜評価試験＞
以下、この帯電装置４（Ｂ）の帯電性能を評価するために行った評価試験について説明する。このときの評価試験は、次の点を除き、実施の形態１における評価試験と同様の内容で行った。
【００７８】
帯電装置４（Ｂ）は、振動付与部材として、厚さＥが３ｍｍ、高さＨが８ｍｍの寸法であるアルミニウム製の平板の上面４５ａに、図１０等に示すように、直径Ｒが３ｍｍ、隆起最大高さＳが１．５ｍｍの寸法からなる複数の球面状の隆起部４６を一列に並べるような状態で形成した振動付与部材４５（Ｂ）を使用し、それを電気的にフロート状態に設置した（実施例２）。なお、帯電装置４（Ｂ）は、この振動付与部材４５（Ｂ）を実施の形態１の評価試験で使用した帯電装置４における振動付与部材４５と同じ条件（食い込み量β、離間距離Ｊ）で設置した。
【００７９】
この実施例２の結果を図８に併せて示す。図８の結果から明らかなように、実施例２の場合は、実施例１の場合に比べて、かぶりがグレードＧ３．５からＧ２になって１．５のグレードレベルの更なる改善がされることと、粒状性についてもグレードＧ４からＧ２．５になって１．５のグレードレベルの更なる改善がされることが確認できた。
【００８０】
［実施の形態３］
図１３は、実施の形態３に係る帯電装置４（Ｃ）の一部（帯電ブラシロール）を示すものである。この帯電装置４（Ｃ）は、帯電ブラシロール４１として構成が一部異なるもの４１（Ｃ）を適用した以外は実施の形態１に係る帯電装置４と同じ構成からなるものである。
【００８１】
この帯電装置４（Ｃ）における帯電ブラシロール４１（Ｃ）は、ブラシ毛４３として先端力Ｆが異なる２種のブラシ毛４３Ａ，４３Ｂを混在させたものを適用したブラシロールである。これ以外の構成については、実施の形態１，２における帯電ブラシロール４１と同じ構成になっている。ブラシ毛４３Ａ，４３Ｂは、規則的に配分される。例えば、ブラシ毛４３Ａ，４３Ｂは、ブラシロール４１の軸方向Ｄに沿って１列ずつ同じものを所要の密度で配分し、その各ブラシ毛の列を回転方向Ｂにおいて交互に同じ割合で存在するよう配置する。
【００８２】
上記先端力Ｆは、ブラシ毛４３の弾性変形に対する復元力にほぼ相当するものであり、以下の測定方法で測定される物性である。
【００８３】
この先端力の測定方法は、図１４に示すように、測定対象のブラシ毛４３０（実施の形態３では太さが異なるブラシ毛４３Ａ，４３Ｂ）を、ブラシロール４１のように回転軸４２の周囲に一定の条件で林立するよう設けた測定用帯電ブラシロール４１０を作製し、この測定用帯電ブラシロール４１０を所定の速度で回転させるとともに、その測定対象のブラシ毛４３０に荷重測定センサであるロードセル４９０（の測定幅をもつ測定端子４９１）を所定の寸法γ（食い込み量）だけ食い込ませ、そのロードセル４９０を軸方向Ｄに所定の速度で移動させながら荷重を測定するものである。ロードセル４９０は、株式会社共和電業社製のＬＳＶ−５ＧＡを使用している。そして、このとき得られるロードセル４９０の単位幅当たりの荷重（ｇｆ／ｍｍ≒３．２１Ｎ・ｆ）を算出し、それを先端力Ｆとして求めている。この測定方法では、測定用帯電ブラシロール４１０を６０ｒｐｍの速度で回転させたうえで、測定幅が２ｍｍのロードセル４９０を食い込み量γが１ｍｍとなる状態に配置して２ｍｍ／ｓｅｃの移動速度で軸方向Ｄに移動させることにより、ブラシロール４１のブラシ全幅３２８ｍｍの先端力についての測定を行っている。
【００８４】
実施の形態３では、例えば、１つのブラシ毛４３Ａとして実施の形態１におけるブラシロール４１で使用している太さ２デニールの導電性ナイロン繊維を採用している。また、もう１つのブラシ毛４３Ｂとしては、同じ材質からなる太さ４デニールの導電性ナイロン繊維を採用している。上記測定方法によれば、ブラシ毛４３Ａは先端力Ｆ１が０．１１ｇｆ／ｍｍ（≒０．３５３Ｎ・ｆ）のものであり、ブラシ毛４３Ｂは先端力Ｆ２が０．２８ｇｆ／ｍｍ（≒０．８９９Ｎ・ｆ）のものである。
【００８５】
実施の形態３に係る帯電装置４（Ｃ）は、実施の形態１に係る帯電装置４における帯電ブラシロール４１又は実施の形態２に係る帯電装置４（Ｂ）における帯電ブラシロール４１（Ｂ）に代えて、上記ブラシロール４１（Ｃ）を装着して構成されている。
【００８６】
この帯電装置４（Ｃ）による帯電工程の動作においては、ブラシロール４１（Ｃ）が振動付与部材４５（４５Ｂ）に接触して通過したときに、先端力Ｆが異なるブラシ毛４３Ａ，４３ｂがその先端力Ｆ１，Ｆ２の違いに応じて異なった状態で弾性変形するので、その通過後の振動の仕方も互いに異なった（軌跡を描く）動き方になる。
【００８７】
この結果、帯電ブラシロール４１（Ｃ）の各ブラシ毛４３Ａ，４３Ｂは、感光ドラム２１の表面との接触通過領域４３Ｎに対して、実施の形態１又は２の場合と少し異なった状態で複雑に動いて接触することとなり、隙間が更に少ない状態になるよう接触する。これにより、この帯電装置４（Ｃ）における帯電ブラシロール４１（Ｃ）は、感光ドラム２１を、帯電ムラが実施の形態１や実施の形態２の場合に比べて更に少ない状態で帯電させることができる。
【００８８】
＜評価試験＞
以下、この帯電装置４（Ｃ）の帯電性能を評価するために行った評価試験について説明する。このときの評価試験は、次の点を除き、実施の形態１（２）における評価試験と同様の内容で行った。
【００８９】
帯電装置４（Ｃ）は、実施の形態２に係る帯電装置４（Ｂ）における帯電ブラシロール４１に代えて、上記先端力Ｆが異なるブラシ毛４３Ａ，４３Ｂからなる帯電ブラシロール４１（Ｃ）を装着した定着装置（実施例３）をした。振動付与部材については、実施の形態２における振動付与部材４５（Ｂ）を装備している。
【００９０】
この実施例３の結果を図８に併せて示す。図８の結果から明らかなように、実施例３の場合は、実施例２の場合に比べて、かぶりがグレードＧ２からＧ１．５になって０．５のグレードレベルの更なる改善がされることと、粒状性についてもグレードＧ２．５からＧ２になって０．５のグレードレベルの更なる改善がされることが確認できた。
【００９１】
［他の実施の形態］
振動付与部材４５は、帯電ブラシロール４１の軸方向Ｄにわたって食い込んだ状態でブラシ毛４３に接触して、そのブラシ毛４３を湾曲するよう弾性変形させるとともにその弾性変形に対する復元力で振動している状態にあるときに感光ドラム２１の表面に接触させることができるものであれば、例えば、その全体の形状や、ブラシ毛４３と接触する部分の形状については特に限定されない。
【００９２】
例えば、実施の形態２において例示したようにブラシ毛４３が接触する部分の少なくとも一部に隆起部４６を有する形状の振動付与部材４５（Ｂ）としては、その実施の形態２で示した上面４５ａに存在する複数の隆起部４６（図１０）を、その上面４５ａに加えて前側の側面部４５ｂにも存在させるよう構成してもよい。また、隆起部４６の形状については、ブラシ毛４３をブラシロール４１の回転方向Ｂ及びその方向Ｂと交差する方向（軸方向Ｄを含む）にランダムに振動させやすくする観点から、表面が曲面で構成される形状の隆起部であればよく、例えば、円錐形状、長いドーム形状などであってもよい。さらに、隆起部４６の存在する数は、例えば、付与部材４５の上面４５ａの長手方向にわって長く延びる１つであっても、他の複数であってもよい。
【００９３】
振動付与部材４５の帯電ブラシロール４１に対する設置位置及び食い込み姿勢等については、帯電ブラシロール４１のブラシ毛４３を湾曲するよう弾性変形させるとともにその弾性変形に対する復元力で振動している状態にあるときに感光ドラム２１の表面に接触させることができるものであれば、帯電ブラシロール４１の構成内容等に合わせて必要な調整をする観点で変更を要する以外は、特に限定されない。
【００９４】
例えば、振動付与部材４５は、図１５や図１６に例示するように、帯電ブラシロール４１に対する食い込み量βがブラシロール４１の軸方向Ｄにおいて相対的に異なる値になるよう設置してもよい。
【００９５】
図１５に例示する構成例は、振動付与部材４５のブラシ毛４３に接触する部分が感光ドラム２１との離間距離Ｊが一定になるようブラシロール４１の軸方向Ｄに平行した状態であるが、ブラシロール４１の軸方向Ｄの両端部４５ｆ，４５ｒで接触する食い込み量βが異なった食い込み量β１、β２（＞β１）となるように軸方向Ｄに対して単調に傾いた状態に設置されている場合である。図１５では、振動付与部材４５の全体を傾けた状態で設置した場合を例示しているが、少なくともブラシ毛４３に接触する部分（特にブラシ毛４３が接触して最大に弾性変形される部分）がその傾いた状態になる形状に構成された振動付与部材４５でもよい。図１６に例示する構成例は、振動付与部材４５のブラシ毛４３に接触する部分の両端部における感光ドラム２１との離間距離Ｊが異なるようにブラシロール４１の軸方向Ｄに対して単調に傾いた状態にあって、ブラシロール４１の軸方向Ｄの両端部４５ｆ，４５ｒで接触する食い込み量βが異なった食い込み量β３、β４（＞β３）となる状態に設置されている場合である。
【００９６】
また、図１５の構成例及び図１６の構成例のいずれにおいても、振動付与部材４５は、実施の形態１で例示したような平板のものを前提として説明したが、例えば実施の形態２で例示したようにブラシ毛４３が接触する少なくとも一部分に隆起部４６が存在する構成のものであってもよい。
【００９７】
さらに、振動付与部材４５は、電気的にフロート状態で設置しておけば、非導電性（絶縁性）の材料を用いて形成される部材であっても構わない。また、導電性の材料を用いて形成した振動付与部材４５は、帯電ブラシロール４１のブラシ毛４３との電位差による不具合が発生することを回避するため、そのブラシ毛４３と同電位になる電圧を供給するように構成してもよい。
【００９８】
帯電ブラシロール４１については、実施の形態３に例示するように先端力Ｆが異なる２種のブラシ毛４３Ａ，４３Ｂを混在させたものを適用することができるが、その他にも先端力Ｆが３種以上異なるブラシ毛４３を混在させたものを適用してもよい。また、先端力Ｆが異なるブラシ毛４３の混在のさせ方は、その各ブラシ毛４３が振動付与部材４５を通過した後に種々の方向や状態で全体としてバランスよく振動する等の観点から、その混在形式を設定すればよい。
【００９９】
帯電ブラシロール４１については、モータ等の駆動力により回転駆動させるようにしてもよい。この場合における帯電ブラシロール４１の回転方向については、感光ドラム２１の回転方向Ａと異なる方向（接触する部分で同じ方向に移動するときの回転方向）でも、あるいは同じ方向でもよく、状況に応じて選定される。また、この場合における帯電ブラシロール４１の回転速度については、感光ドラム２１の回転速度に対して例えば０．６〜１．４倍の範囲内の関係になる速度に設定することが好ましい。また、帯電ブラシロール４１の回転軸４２に供給する帯電用電圧としては、交流の電圧や、交流を重畳した直流の電圧でもよい。
【０１００】
この他、この発明に係る帯電装置４（４Ｂ）等を用いる画像形成装置１は、その帯電装置４（４Ｂ）等を使用することが可能なものであれば、その形式等については特に限定されるものでない。例えば、感光体としては感光ドラム２１に代えて、ベルト形態のものを使用する画像形成装置であってもよい。また、カラー画像を形成する画像形成装置であっても勿論よい。
【符号の説明】
【０１０１】
１  …画像形成装置
４，４Ｂ…帯電装置
２１…感光ドラム（感光体）
４１，４１Ｃ…帯電ブラシロール
４２…回転軸
４３…ブラシ毛
４３Ａ，４３Ｂ…先端力が異なるブラシ毛
４５…振動付与部材
４５ａ…上面（ブラシ毛の接触する部分の１つ）
４５ｂ…前側の側面（ブラシ毛の接触する部分の他の１つ）
４６…隆起部
Ｃ  …感光ドラムの軸方向
Ｄ  …帯電ブラシロールの軸方向
β  …振動付与部材の食い込み量
【図１】
0005942406.tif 000002
【図２】
0005942406.tif 000003
【図３】
0005942406.tif 000004
【図４】
0005942406.tif 000005
【図５】
0005942406.tif 000006
【図６】
0005942406.tif 000007
【図７】
0005942406.tif 000008
【図８】
0005942406.tif 000009
【図９】
0005942406.tif 000010
【図１０】
0005942406.tif 000011
【図１１】
0005942406.tif 000012
【図１２】
0005942406.tif 000013
【図１３】
0005942406.tif 000014
【図１４】
0005942406.tif 000015
【図１５】
0005942406.tif 000016
【図１６】
0005942406.tif 000017